(57)【要約】【課題】ビットの記録された系列を再書き込み可能なディスク媒体上で編集する。【解決手段】  デジタル記憶媒体に記録された番組を編集する方法である。該方法は、ユーザ選択可能な番組編集コマンドを与える段階と、記憶媒体の第１の位置に対応する部分開始アドレスを与え、記憶媒体の第２の位置に対応する部分終了アドレスを与えて、記録された番組の編集する部分を画成する段階と、少なくとも１つのユーザ選択可能な番組編集コマンドのユーザ選択時に、ディスクの少なくとも第１の位置に基づき、記録された番組のＶＴＳＩの少なくとも１つのアドレスを修正する段階と、修正したＶＴＳＩに従って番組の再生を制御して、ユーザ選択可能な編集コマンドを実行する段階とを有する。【選択図】図１
2011138602.tif 000002
【特許請求の範囲】
【請求項１】
デジタル記憶媒体に記録された番組を編集する方法であって、
少なくとも１つのユーザ選択可能な番組編集コマンドを与える段階と、
前記記憶媒体の第１の位置に対応する部分開始アドレスを与え、前記記憶媒体の第２の位置に対応する部分終了アドレスを与えて、前記記録された番組の編集する部分を画成する段階と、
少なくとも１つのユーザ選択可能な番組編集コマンドのユーザ選択時に、前記ディスクの少なくとも前記第１の位置に基づき、前記記録された番組のビデオタイトルセット情報（ＶＴＳＩ）の少なくとも１つのアドレスを修正する段階と、
前記修正したＶＴＳＩに従って前記番組の再生を制御して、前記ユーザ選択可能な編集コマンドを実行する段階とを有する方法。
【請求項２】
前記ユーザ選択可能な番組編集コマンドはメニューを介して与えられ、ディスプレイ手段により前記ユーザに表示される、請求項１に記載の方法。
【請求項３】
前記ユーザ選択可能編集コマンドは、edit、delete、undelete、copyよりなるグループから選択される、請求項１に記載の方法。
【請求項４】
前記部分開始アドレスと部分終了アドレスはＶＯＢＵ開始アドレスとディスクセクタ番号よりなるグループから選択される、請求項１に記載の方法。
【請求項５】
前記ビデオタイトルセット情報（ＶＴＳＩ）を修正する段階は、前記位置に基づき少なくとも１つのセル開始アドレスを修正する段階を有する、請求項１に記載の方法。
【請求項６】
前記開始アドレスと前記終了アドレスは両方とも１つのセル内の位置に対応するとき、
前記１つのセルを第１の部分、第２の部分、及び第３の部分に分解する段階と、
前記第１のセル部分に前記開始アドレスに対応する終了アドレスを与え、新しい第１のセルを生成する段階と、
前記第３のセル部分に前記終了アドレスに対応する開始アドレスを与え、新しい第２のセルを生成する段階と、
前記第２のセル部分に前記ユーザ選択可能編集コマンドを実行する段階とをさらに有する、請求項１に記載の方法。
【請求項７】
デジタル記録媒体に記録された番組を編集する装置であって、
ユーザ選択可能編集コマンドを有するメニューと、
処理ユニットに編集コマンドを与えるユーザ操作可能制御部と、
編集する番組部分に対応する開始アドレスと終了アドレスとを与える手段と、
少なくとも１つの編集コマンドを実行するように、前記開始アドレスと終了アドレスとに基づき、ビデオタイトルセット情報を修正する手段と、を有する装置。
【請求項８】
前記装置がユーザ選択編集コマンドに従って前記番組を再生するように、
既存のコールを第１のセル部分、前記編集する番組部分を有する第２のセル部分、第３のセル部分に分ける手段と、
前記開始アドレスに基づき前記第１のセル部分から新しい第１のセルを与える手段と、
前記終了アドレスに基づき前記第３のセル部分から新しい第３のセルを与える手段と、を有する、請求項7に記載の装置。
【発明の詳細な説明】
【技術分野】
【０００１】
本発明は、一般的には、例えば、記録可能なディジタルビデオディスク、ハードドライブ及び光磁気ディスクのような、ディスク媒体上に記録された、オーディオのみ、ビデオのみ及び、ビデオとオーディオの両方のプログラムのための進歩した動作特徴を提供する方法と装置に関連する。
【背景技術】
【０００２】
種々の装置は、消費者が後に表示のためにビデオ及びオーディオプログラムを記録することを可能とするために開発されている。そのような装置は、テープレコーダ、ビデオカセットレコーダ、レコーダブルコンパクトディスク、及び、最も最近では、レコーダブルディジタルビデオディスク（ＤＶＤ）を含む。ハードドライブと光磁気ディスクも使用されている。
【０００３】
１回のみ記録可能なＤＶＤは、その後は本質的にはＤＶＤ読出し専用メモリであり、頭字語でＤＶＤ−Ｒと呼ばれる。頭字語ＤＶＤ−Ｒは、一般的にはライトワンス又は、レコードワンス技術と呼ばれるのも使用されている。記録され、消去されそして再記録され即ち上書き又は、再書き込みされるＤＶＤには、幾つかのフォーマットが利用できる。これらは、頭字語ＤＶＤ−ＲＡＭ、ＤＶＤ−ＲＷ及び、ＤＶＤ＋ＲＷと呼ばれる。現在、１つの業界標準は適用されていない。頭字語ＤＶＤ−ＲＡＭ、ＤＶＤ−ＲＷ及び、ＤＶＤ＋ＲＷも、一般的にはそれぞれリライタブル技術と呼ぶことが使用されている。ここでのリライタブルＤＶＤ技術、装置と方法の参照は、一般的には、将来開発され得るものと、現在使用されている、全ての標準を含むことが意図される。
【０００４】
結果的に採用されている規格に従って、もしあれば、種々の進んだ特徴を実行するのに使用されるある記録機構は、規格に関係する全ての装置に互換性があり、一方、他の記録機構は、規格に一致しないことにより、互換性がないであろう。それにも関わらず、他の装置と互換性のない、特定の専有の進歩した特徴は、消費者の観点からは非常に望まれうる。この結果は単に、従来の記録は完全に互換性があり且つ移植可能でも、互換性のない進歩した特徴に従ってなされた記録は、異なる製造者の装置で再生できないことである。
【０００５】
多くの場合には、プログラム表示は、視聴者のいないときに、後の更に便利なときに表示するために、記録される。これはプログラムのタイムシフトと呼ばれる。他のときに、プログラムは記録されること無くそして記録に興味なく、視聴されるが、しかし、例えば、電話や予期しない訪問者により、視聴者の注意は中断される。視聴者がテレビジョン見ている場合に、例えば、そして、ＶＣＲ内にカセットテープがあり、又は、カッセットテープを取りだしそしてロードすると、プログラムは記録される。しかしながら、記録が完了するまで、視聴者はその全体のプログラムを適切な時間順序で見て且つ聞くことが出来ない。記録の完了時間は短いか又は長く、プログラムの長さに依存する。
【０００６】
リライタブルＤＶＤ技術では一般的には利用できるが、動作は、再生、記録、早送り戻し又は、停止のような基本機能に制限される。ポーズが利用できるが、しかし、例えば、予め記録されたプログラムの再生の中断又は、記録からコマーシャルを除去するための見られたプログラムの記録及び、中断のような、ＶＣＲのポーズ動作の対照物としてのみである。コンピュータのハードドライブと異なり、レコーダブルＤＶＤ装置は、非常に重要な追加の機能を有し、これは、予め記録されたＤＶＤを再生する。従って、コンピュータのハードディスクの代わりに使用できる方法と装置を含む、リライタブルＤＶＤ技術を開発する経済的な刺激がある。コストの減少と販売の増加の目標を妥協すること無く、改善された、優位な特徴を有するそのような装置を提供することが課題である。
【０００７】
ＤＶＤ装置は、典型的には、１Ｘ読出しと１Ｘ書き込み能力を有する。そのような装置は、典型的には、約１１メガビット／秒の記録又は再生の最大データレートを有する。従って、本発明の目的のために削除及び削除取り消し機能を実行する重要な考えは、読出し及び特にＤＶＤにデータを記録するための比較的遅いレートである。この遅いレートは、従来のＤＶＤ装置の機械的な組立体の特性と読出し及び特に光ディスクにデータを書きこむことに関連する制限の大きな部分に帰属する。このように、コピー、削除及び、削除取り消し機能を、記録可能な磁気媒体上で実行するための従来の機能は、ＤＶＤには適さない。
【０００８】
リライタブルＤＶＤ技術は、典型的には、ＭＰＥＧ−２符号化器と復号器を使用しそして、ＭＰＥＧ−２に関連する多くの頭字語にでくわす。例えば、ＤＶＤ規格は、ディスクのビデオコンテンツが、ビデオオブジェクトユニット（ＶＯＢＵ）に分割されることを要求し、各ＶＯＢＵは典型的には、０．４から１．０秒の表示素材を含む。各ＶＯＢＵは、ナビゲーションパック（ＮＶ＿ＰＣＫ又は、ＮＡＶ＿ＰＡＣＫ）で始まる。ナビゲーションパックは、多くのナビゲーション情報を含み、そのいくつかは、トリックモードに非常に有益である。ここで使用されるように、トリックモードは、標準的な再生モード以外の、記録可能ディスク媒体に対するどのような動作モードも参照する。従って、そのようなモードは、逆転、早送り、ポーズモード等を含むことが可能である。
【０００９】
ナビゲーションパックは、表示制御情報（ＰＣＩ）及び、データサーチ情報（ＤＳＩ）を含む。一例は、多くの近くのＶＯＢＵに対する開始アドレスを含む。これは、前向き及び後向きに、次のＶＯＢＵへ、又は、より高速のトリックモードのために、前向き及び後向きに、第２のＶＯＢＵへ、又は、第３へのジャンプ等を容易にできる。他の例は、ＶＯＢＵ内の最初の３つの画像に対する終了アドレスを含めることである。これは、ＶＯＢＵの構造に関して与えられた糸口のみである。
【００１０】
各ビデオオブジェクトセット（ＶＯＢＳ）は、複数のビデオオブジェクトを含む。各ビデオオブジェクトは、複数のセルを含む。各セルは、複数のＶＯＢＵを含む。ディスクのビデオコンテンツを含む各ＶＯＢＵは、典型的には、０．４から１．０秒の表示素材を含む。商用映画内の典型的なＶＯＢＵは、０．５秒の表示素材を含み、１つのグループオブピクチャ（ＧＯＰ）に対応する。各ＶＯＢＵは記録順のパックのシーケンスである。各ＶＯＢＵは正確に１つのナビゲーションパックで開始し、そして、ビデオパック（Ｖ＿ＰＣＫ）、オーディオパック（Ａ＿ＰＣＫ）及び、サブピクチャパック（ＳＰ＿ＰＣＫ）を含む、後続する全ての種類のパックを含む。
【００１１】
データサーチ情報（ＤＳＩ）は、復号器が現在のＮａｖ＿Ｐａｃｋに対応するＶＯＢＵ内及び、参照画像を見つけるのに役立つ。ＤＳＩは、復号器が、現在のＶＯＢＵに相対的に、将来の又は過去の表示データのＶＯＢＵを見つけるのにも役立つ。現在のＶＯＢＵ表示に相対的に過去のＶＯＢＵは、ＢＷＤＩ（バックワード情報）として知られるＮａｖ＿Ｐａｃｋのフィールド内で参照される。現在のＶＯＢＵ表示に相対的に将来のＶＯＢＵは、ＦＷＤＩ（フォワード情報）として知られるＮａｖ＿Ｐａｃｋのフィールド内で参照される。一例は、前向き方向に＋２４０ＶＯＢＵと、後向き方向に−２４０ＶＯＢＵまでの、多くの近くのＶＯＢＵに対する開始アドレスを含めることである。これは、前向き及び後向きに、次のＶＯＢＵへ、又は、より高速のトリックモードのために、前向き及び後向きに、第２のＶＯＢＵへ、又は、第３へのジャンプ等を容易にできる。ビデオ、オーディオ、サブピクチャ、表示制御情報及び、データサーチ情報はＤＶＤビットストリームの５つの構成要素である。
【発明の概要】
【課題を解決するための手段】
【００１２】
本発明は、ビットの記録された系列を再書き込み可能なディスク媒体上で編集する方法に関する。この方法は、削除されるべきビットの記録された系列のセグメントの開始点と終了点を選択的に識別し、且つ、ディスクの制御データ部分内の第１のジャンプコマンドを修正する。第１のジャンプコマンドは、前向き方向に読み出しているときに、ディスクからの再生を終了点で継続させるように修正される。この方法は、更に、逆方向の再生のためにに読み出しているときに、ディスクからの再生を開始点で継続させるために、ディスクの制御データ部分内の第２のジャンプコマンドを修正する。
【００１３】
本発明は、１つの特徴に従って、ビットの記録された系列は、セルにグループ化される。この方法は更に、開始点と終了点が各々セル内に含まれるときに、１つのセルを２つのセルに分割する。その場合には、そのセルの第１のセルはセグメントの開始点で終了アドレスが割当てられ、そのセルの第２のセルはセグメントの終了点で開始アドレスが割当てられる。
【００１４】
他の特徴に従って、この方法は、開始点が前記開始アドレスのときには、セルの現在の開始アドレスを、終了点のアドレスに変更する。代わりに、この方法は、終了点がそのセルの終了アドレスのときには、そのセルの現在の終了アドレスを、開始点のアドレスに変更する。
【００１５】
本方法は、更に、セグメントが複数のセルにわたって伸びるときには、開始点を含むセルの終了アドレスを、開始点のアドレスに変更する。その場合には、この方法は、終了点を含むセルの開始アドレスを、終了点のアドレスに変更するステップも含むこともできる。
【００１６】
他の特徴に従って、ビットの記録された系列は、セルにグループ化され、本発明は、更に、ディスクの制御データ領域内に含まれるセルに関する状態情報を自動的に修正するステップも有することができる。例えば、このステップは、ビットの系列の再生中に、セルへのアクセスを防止するために、セグメント内に含まれる各セルのアクセス制限フラグを設定することができる。更に他の特徴に従って、更に、ディスク上の利用できる空間として削除されたセグメントを確認するために、削除テーブルを維持するステップを有することができる。
【００１７】
代わりの実施例では、本発明は、ビットの記録された系列を再書き込み可能なディスク媒体上で編集する装置を含むことができる。この装置は、削除されるべきビットの記録された系列のセグメントの開始点と終了点を選択的に識別有し、そして、前向き方向に読み出しているときに、ディスクからの再生を終了点で継続させる、ディスクの制御データ部分内の第１のジャンプコマンドを修正する、のに適するプログラムを有するディスク読出し／書きこみ回路及びマイクロプロセッサコントローラを有する。この装置は、逆方向に読み出しているときに、ディスクからの再生を前記開始点で継続させる、ディスクの制御データ部分内の第２のジャンプコマンドを修正するための回路と処理設備も有することができる。
【００１８】
１つの特徴に従って、ビットの記録された系列は、セルにグループ化され、そして、この装置は更に、開始点と終了点が各々そのセル内に含まれるときに、１つのセルを２つのセルに分割する回路及び処理設備を有する。その場合には、そのセルの第１のセルはそのセグメントの開始点で終了アドレス割当てられ、且つ、そのセルの第２のセルはそのセグメントの終了点で開始アドレスが割当てられる。
【００１９】
本装置は、開始点が開始アドレスのときには、そのセルの現在の開始アドレスを、終了点のアドレスに変更し、又は、終了点がそのセルの終了アドレスのときには、そのセルの現在の終了アドレスを、開始点のアドレスに変更する回路及び処理能力を有することもできる。
【００２０】
さらに他の特徴に従って、本装置は、そのセグメントが複数のセルにわたって伸びるときには、開始点を含むセルの終了アドレスを、開始点のアドレスに変更する、回路及び処理能力を有することができる。その場合には、本発明は、終了点を含むセルの開始アドレスを、終了点のアドレスに変更する、回路及び処理能力を有することができる。
【００２１】
一実施例に従って、ビットの記録された系列は、セルにグループ化され、そして、本発明は、更に、ディスクの制御データ領域内のセルに関する状態情報を自動的に修正する回路及び処理能力を有することができる。例えば、このシステムは、ビットの系列の再生中に、そのセルへのアクセスを防止するために、そのセグメント内に含まれる各セルのアクセス制限フラグを設定することができる。最後に、本発明は、ディスク上の利用できる空間として削除されたセグメントを確認するために、削除テーブルを維持する回路及び処理能力も有することができる。
【図面の簡単な説明】
【００２２】
【図１】本発明の配置に従って、１つ又はそれ以上の進歩した動作の特徴が設けられ得るリライタブルＤＶＤ装置のブロック図である。
【図２】リライタブルＤＶＤのらせんトラック説明するのに有益な図である。
【図３】ビデオディスクの構造を説明するのに有益な図である。
【図４ａ】本発明の配置に従ったＤＥＬＥＴＥ及びＵＮＤＥＬＥＴＥのような、編集の特徴を説明するのに有益な図である。
【図４ｂ】本発明の配置に従ったＤＥＬＥＴＥ及びＵＮＤＥＬＥＴＥのような、編集の特徴を説明するのに有益な図である。
【図４ｃ】本発明の配置に従ったＤＥＬＥＴＥ及びＵＮＤＥＬＥＴＥのような、編集の特徴を説明するのに有益な図である。
【図４ｄ】本発明の配置に従ったＤＥＬＥＴＥ及びＵＮＤＥＬＥＴＥのような、編集の特徴を説明するのに有益な図である。
【図５】本発明の配置に従った編集の特徴を説明するのに有益なセル図である。
【図６】本発明の配置に従った編集の特徴を説明するのに有益なセル図である。
【図７】本発明の配置に従った編集の特徴を説明するのに有益なセル図である。
【発明を実施するための形態】
【００２３】
記録可能なＤＶＤ装置
ここで教示する本発明の配置に従った、種々の進歩した動作の特徴を実行する装置１００は、本発明の配置に従ったリライタブルディスク媒体１０２を使用し、図１にブロック図の形式で示されている。リライタブルディスク媒体１０２は、説明される実施例内でリライタブルＤＶＤとして具体化される。多くの場合には、示されたように、リライタブルディスク媒体は例えば、ハードドライブ又は、光磁気ディスク（ＭＯＤ）でも可能である。ＭＯＤの例は、ミニディスクである。多くの場合には、本発明の配置は、ビデオ又はオーディオ又はビデオ及びオーディオの両方に適用可能である。
【００２４】
装置１００は、例えば、リライタブルＤＶＤ１０２のディスク媒体に書き込みそして、そこから読み出すことができる。この装置は、機械的組立体１０４、制御部１２０、ビデオ／オーディオ入力処理パス１４０及び、ビデオ／オーディオ出力処理パス１７０を有する。異なる部分又はパスの多くのブロックの配置は自明であり、一方幾つかのブロックの配置は、便利の目的のためになされ、そして、この装置の動作の理解には重大ではない。
【００２５】
機械的組立体１０４は、ＤＶＤ１０２を回転させるモーター１０６と、回転するディスク上を移動するように適用されたピックアップ組立体１０８を有する。ピックアップ組立体上のレーザは、ビデオ及び／又オーディオプログラム素材を記録し且つ再生するために、ディスク上のらせんトラック上にスポットを焼き又は既にトラック上に焼かれたスポットを照明する。本発明の理解のために、１つの又は２つのサイドに記録可能かどうか又は、両側の記録の場合には、両側記録又は、続いてのディスクからの読出しが、ディスクの同じ側から又は両側から起こるかどうかには関わらない。ピックアップとモーターは、サーボ１１０により制御される。サーボ１１０は、第１の入力にディスク１０２のらせんトラックから読み出されたデータの再生信号も受信する。再生信号は、制御部の一部又は、ビデオ／オーディオ出力処理パスの一部と考えられる、誤り訂正回路１３０の入力でもある。
【００２６】
制御部１２０は、制御中央処理ユニット（ＣＰＵ）１２２とナビゲーションデータ発生回路１２６を有する。制御ＣＰＵ１２２は、ナビゲーションデータ発生回路１２６に第１の入力信号を供給し、そして、サーボ１１０はナビゲーションデータ発生回路１２６に第２の入力信号を供給する。サーボは、制御部の一部と考えられる。ナビゲーションデータ発生回路１２６は、第１の入力信号をマルチプレクサ（ＭＵＸ）１５４へ供給し、これはビデオ／オーディオ入力処理パス１４０の一部を形成する。ＭＵＸ１５４の出力は、誤り訂正符号化回路１２８の入力である。誤り訂正符号化回路１２８の出力は、ピックアップ１０８に供給される記録可能な入力信号であり、これは、レーザによりディスク１０２のらせんトラック上に”焼かれる”。
【００２７】
視聴者の活性化できる機能ための制御バッファ１３２は、現在利用できる機能、即ち、再生、記録、逆転、早送り、ポーズ／再生及び、停止を示す。ポーズは、ＶＣＲのポーズ動作の対照であり、例えば、予め記録された番組の再生の手動の中断又は、記録からコマーシャルを除去するための視聴されたプログラムの記録の手動の中断である。別のバッファ１３６が、ここで教示する本発明の配置を実行するためのコマンドの受信のために設けられている。
【００２８】
ビデオ／オーディオ入力処理パス１４０は、例えば、ＮＴＳＣ又はＰＡＬの従来のテレビジョン信号を、装置１００によるディジタル記録のための例えば、ＭＰＥＧ−１又は、ＭＰＥＧ−２の、ディジタル化されたパケットデータに変換する信号処理回路である。入力パス１４０はＮＴＳＣデコーダ１４２と、ビデオインのための、例えば、ＭＰＥＧ−１、ＭＰＥＧ−２ビデオ符号化器１４４を含み、且つオーディオアナログ／ディジタル変換器（Ａ／Ｄ）１４６及び、例えば、ＭＰＥＧ−１、ＭＰＥＧ−２オーディオ符号化器１４８を含む。ディジタル化された信号は、マルチプレクサ１５０内で結合されそして、全体のパケットが構成されるまで、記録バッファ１５２内に蓄積される。各パケットが構成されると、各パケットは、ＭＵＸ１５４内でナビゲーションデータ発生回路の出力と結合されそして、誤り訂正符号化回路１２８に送られる。誤り訂正符号化回路１２８は、入力処理パス１４０の一部と考えられる。
【００２９】
実際的な方法で、ＤＶＤ上のらせんトラック上の最小のアドレス可能なユニットは、１６セクタのＥＣＣ（誤り訂正符号）ブロックであり、ここで、各セクタは、２０４８バイトのユーザデータを含む。グループは、例えば、１２の、幾つかのＥＣＣブロックのグループである。ブロックの各グループは、約０．５秒の結合されたビデオとオーディオプログラム素材を表す。例えば、１９２セクタの、ＥＣＣブロックのグループを記録するのに必要ならせんトラックにそった線形な空間の量は、らせんトラックのセグメントとしてここでは定義される。従って、記録バッファは１セグメントのデータを蓄積するのに十分に大きい必要があることがわかる。１セグメントのデータは、例えば、約０．５秒のオーディオ及びビデオプログラム素材に対応する。
【００３０】
出力処理パス１７０は、誤り訂正ブロックと１３０トラックバッファ又は、出力バッファ１７２を含み、その中で、ディスクから読み出されたデータが更なる処理のために、パケットに集められる。パケットは、デマルチプレクサ１７６を介してそして、ビデオ及びオーディオ処理のそれぞれのパスへパケットの伝搬を制御する、条件アクセス回路１７４により処理される。従って、トラックバッファ１７２は、約０．５秒のオーディオ及びビデオプログラム素材に対応する、１セグメントのデータを蓄積するのに十分に大きい必要がある。
【００３１】
ビデオは復号器１７８で、例えば、ＭＰＥＧ−１又は、ＭＰＥＧ−２から、復号され、そして、例えば、ＮＴＳＣ又は、ＰＡＬのような従来のテレビジョン信号として符号化される。オーディオは、回路１８２により、例えば、ＭＰＥＧ−１又は、ＭＰＥＧ−２から、復号され、そして、オーディオディジタル／アナログ変換器（Ｄ／Ａ）１８４によりアナログ形式に変換される。出力処理パス１７０は、示されたように誤り訂正回路１３０を有する。
【００３２】
ＤＶＤ媒体
本発明の配置を説明するために、プログラム素材が、リライタブルＤＶＤに記録され、そして、リライタブルＤＶＤから再生される。図２に示されたリライタブルＤＶＤ１０は、装置１００内でディスク１０２として使用するのに適している。ディスク１０は、真中に穴１４を有する、平坦な、丸いプラスティック板状の部材１２により形成される。トラック上の記録の方向は、典型的には、らせんトラック１６に沿って、らせんの小半径部分かららせんの大半径部分へ、外側に向かう。幾つかの連続する３つの大きなドット
[外１]
2011138602.tif 000003
は、図には示されていないトラックの部分を示す。この結果、らせんトラックの先頭は、穴１４の付近であり、そして、四角１８で示されている。らせんトラックの最後は、縁の近くで終わり、そして、ダイアモンド２０で示されている。当業者は、一般的には、示されたようにらせんの最初と最後を定義することを受け入れる。本発明の配置に従った、ある進歩した特徴は、即ち、らせんの大きな半径部分かららせん及び、小さな半径部分への、後向き記録を使用する。トラックは、媒体形式インデックシングを収容するために、図には示されていない、サイド−ツー−サイドウーブルも有することができる。規模の困難性から、トラック１６の一部のみが示され、そして、これらは大きく拡大されて示されている。
【００３３】
らせんの、各々の円形の、半径的に同心の部分は、しばしばトラックと呼ばれるが、しかし、この用語は特定の意味を有するとして普通に受け入れられていない。ＣＤ−ＲＯＭでは、例えば、用語、トラックは、単一のオーディオ歌曲を含むらせんトラック部分又は、他の部分を参照するのに使用され、そして、おないじことがＤＶＤに対して共通ではない。
【００３４】
必要なよりも高いディスク媒体の回転速度により、動作中に、１回転のトラックのジャンプ戻りがしばしば必要となる。これは、当業者には理解される一般的な技術である。
【００３５】
図３に示されたように、各ＤＶＤは、ビデオマネージャ２６とビデオタイトルセット２８内にビデオタイトルセット情報（ＶＴＳＩ）を含む。またそれは、複数のビデオオブジェクト３２よりなる複数のビデオオブジェクトセット（ＶＯＢＳ）３０も含む。各ビデオオブジェクト３２は、複数のセル３４を含む。各セルは、複数のＶＯＢＵ３６を有する。ディスクのビデオコンテンツがある各ＶＯＢＵ３６は、典型的には、０．４から１．０秒の表示素材を含む。各ＶＯＢＵ３６は、記録順序のパック３８のシーケンスである。各ＶＯＢＵは、正確に、１ナビゲーションパッケで開始し、そして、全ての次の種類のパック、ビデオパック（Ｖ＿ＰＣＫ）、オーディオパック（Ａ＿ＰＣＫ）及び、サブピクチャパック（ＳＰ＿ＰＣＫ）を含む。
【００３６】
ＶＴＳＩ２８は、全てのセル３４とビデオオブジェクトユニット３６に対する開始アドレスと終了アドレスを含む、制御データを有する。ＶＴＳＩは、１つのＶＯＢＵから他へ又は、１つのセルから他へ、移動するのに適切なジャンプコマンドも含むことができる。当業者は、ＤＶＤ仕様で定義されているので、そのようなジャンプコマンドを知っている。ジャンプコマンドは、プログラムの再生の連続性を保証し、且つディスク上の種々の位置でのデータの読出しを指示する。
【００３７】
図１に示された装置の種々の修正と図２に示されたディスク媒体は、本発明の配置に従ってここで教示される進んだ特徴を実行するために、ともに使用される。ここで教示される進んだ特徴は、他の種類のディスク媒体及び、ディスク媒体再生装置及び記録装置に適用可能である。
【００３８】
有効なＤＶＤプログラムストリームは、ＶＯＢＵとして知られる表示ユニットに、セグメント化される。各ＶＯＢＵは、ナビゲーションパック（Ｎａｖ＿Ｐａｃｋ）であるその第１パックにより切られ、そして、残りのパックは関連するビデオ、オーディオ及び、ユーザ表示データパックよりなる。Ｎａｖ＿Ｐａｃｋは、データサーチ情報と表示制御情報を含む。データサーチ情報は、再生の”トリック”モード、即ち、素材のより高速な表示を達成するために、全体の画像のサブセットが表示される、モード、を実行するのに有益である。データサーチ情報（ＤＳＩ）の一面は、現在のＮａｖ＿Ｐａｃｋに対応するＶＯＢＵ内の参照画像を見つけるために、復号器を助けることである。ＤＳＩの他の面は、現在のＶＯＢＵに相対的に、将来の又は過去の表示のＶＯＢＵを見つけるために、復号器を助けることである。現在のＶＯＢＵ表示に相対的に過去のＶＯＢＵは、ＢＷＤＩ（バックワード情報）として知られるＮａｖ＿Ｐａｃｋのフィールド内で参照される。現在のＶＯＢＵ表示に相対的に将来のＶＯＢＵは、ＦＷＤＩ（フォーワード情報）として知られるＮａｖ＿Ｐａｃｋのフィールド内で参照される。
【００３９】
記録可能ＤＶＤ編集のためのコピー、削除及び削除の取り消しの特徴
記録可能ＤＶＤは、消費者が、結婚式、誕生日パーティー等の、自身の家庭ビデオを作るために、幾つかの編集の特徴を有しなければならない。ＴＶプログラムを記録した後でさえも、消費者は、例えば、スポーツイベント及び映画のような、あるプログラムからコマーシャルを消去したい。他の例では、消費者は、異なるビデオ表示で使用するために記録されたビデオの一部をコピーしたい場合がある。これに関しては、３つの編集機能、即ち、ＤＥＬＥＴＥ、ＵＮＤＥＬＥＴＥ及び、ＣＯＰＹが、ＤＶＤレコーダの本発明の配置に従って提供される。ＤＬＥＴＥはセグメントを削除するのに使用される。ＵＮＤＥＬＥＴＥは、削除を取り消すのに使用される。ＣＯＰＹは、セグメントをディスク内又は、他のディスクからコピーするのに使用される。これらの機能は、記録可能なＤＶＤディスク上でのビットストリームの編集の能力を提供する。
【００４０】
ＥＤＩＴボタンは、遠隔制御装置上に設けられることができる。図４（ａ）に示されたように、ボタンＥＤＩＴが押されると、タイトルとしてのＥＤＩＴと、ＤＥＬＥＴＥ、ＣＯＰＹ、ＵＮＤＥＬＥＴＥ等のような幾つかの又は全ての編集機能を有する、スクリーン７０が表示される。
【００４１】
一実施例に従って、ＤＥＬＥＴＥボタン７１が選択されると、それはハイライトされ、そして、ユーザは図４（ｂ）に示されたように、削除されるべきセグメントの開始と終了で、マーク７２，７４を入力するように要求される。マーキングは、セグメントが開始し且つ終了する位置の信頼性のある且つ正確な支持を提供するどのような適する方法によっても達成できる。好適な実施例に従って、マーキングは、制御ＣＰＵ１２２に関連するメモリ位置内に、ＶＯＢＵ３６の先頭を識別するディスクセクタ番号又はアドレスを蓄積することにより達成できる。しかしながら、マーキングの精密なモードは重要ではなく、そして、どのような他の適する方法も、この目的のために選択できる。トリックモードは、開始と終了点をマーキングするために、ユーザがプログラムを走査することを可能とするために使用される。
【００４２】
図４（ｄ）は、ユーザにより削除するとマークされたセグメントＡＢを示すビットストリームを示す。セグメントがマークされた後に、（図示していない）スクリーンが、編集の確認を可能とするために表示されることが可能である。編集が確認されると、ＶＴＳＩ２８はプログラム再生を制御するために修正される。図４（ｄ）に示すように、１つのコマンドはフォワードジャンプ７６であり、そして、他はバックワードジャンプ７８である。標準ＤＶＤディスクナビゲーションコマンドは、ジャンプフォワード及びジャンプバックワードのためにＶＴＳＩ内で使用できる。これらのコマンドはＤＶＤ仕様内で定義されている。
【００４３】
ここで説明するように、ジャンプコマンドを修正した後に、点Ａに前方から達するときには毎回又は、前向き方向にディスクが読みだされているときには、修正されたＶＴＳＩ制御情報２８は、ＤＶＤプレーヤにＡからＢへジャンプさせることを発生する。言い替えると、ＤＶＤプレーヤは、点Ａで再生を停止し、そして、点Ｂから読みだしを継続する。逆に、点Ｂに後ろから達すると即ち、ディスクが後向き方向に読み出されているときには、修正されたＶＴＳＩ制御情報２８は、ＤＶＤプレーヤにＢからＡへジャンプすることを発生する。
【００４４】
図５を参照すると、点ＡとＢにより定義されるセグメントがセル９０の一部である場合には、そのセルは２つのセルに分割される。この結果は、９２、９４でり、第１のセル９２はそのセグメントの開始点Ａで終了し、そして、第２のセル９５はそのセグメントの終了点Ｂで開始する。特に、削除されたセグメント９６を構成するＶＯＢＵは消去される又は破壊されない。代わりに、それらは、ビットストリーム内に残るがしかし、修正されたＶＴＳＩ２８の結果として、単に再生されない。ＤＶＤプレーヤは、前向き方向に再生しているときには、９３から９４にジャンプし、そして、後向き方向に再生しているときには、９４から９３にジャンプする。
【００４５】
点ＡとＢにより定義されるセグメントは、セル９０の一部であり、図６に示すような、Ａがセルの現在の開始点であるという特別の場合がある。そのような場合には、セルの開始アドレスはＶＴＳＩ２８内の９８で、点Ｂに変更される。セルの開始アドレスを参照するどのデータも、一貫して変更される。ＤＶＤプレーヤにセル９０の先頭を指示する現在のジャンプコマンドは、点９９よりも、点９８で再生を開始させる。同様に、Ｂがセルの終了点である場合には、セル９０の終了アドレスはＶＴＳＩ２８内でＡに変更される。終了アドレスを参照するどのようなデータも、一貫してＡに変更される。ＤＶＤプレーヤにセル９０の最後を指示する現在のジャンプコマンドは、代わりに、点Ａで再生を開始させる。
【００４６】
図７を参照すると、複数のセル３４が示されている。セグメントＡＢが示されたようにセルの境界をわたって伸びる場合には、ＶＴＳＩ２８は、点Ａを含むセルの終了アドレス１０３がＡに変更されるように、修正される。同様に、点Ｂを含むセル３４の開始アドレス１０５が、ＶＴＳＩ内でＢに変更される。ディスクが前向き又は逆向きの何れかに再生されたときでも、点Ａと点Ｂの間のどのセルも、もはや再生されない。
【００４７】
削除されたセグメント内のセルに対するセル情報は、データを受信するために続いて利用できる領域を追跡するために、制御データ領域内で変更される。制御データは、ビデオマネージャ２６及び/又はビデオタイトルセット２８内のビデオタイトルセット情報に含まれる、ビデオマネージャ情報（ＶＭＧＩ）を有することができる。セル情報を変更する１つの可能な方法は、ＡとＢの間の各セルのアクセス制限フラグを設定することにより、そして、これらのセルは再生中にアクセス可能ではない。永久に削除されることが確認される場合には、削除されたセグメントの空間は、利用できる空間リスト上に置かれる。いくつかのセグメントは、一時的に削除され、そして、従って、利用できる空間リスト上に含まれない。
【００４８】
ＤＥＬＥＴＥテーブル８０は、本発明の配置に従ってＵＮＤＥＬＥＴＥ機能を実行するために使用される。好適な実施例に従って、削除されたセグメント情報は図４（ｃ）に示すように、ＤＥＬＥＴＥテーブル内のメモリに蓄積される。ＤＥＬＥＴＥテーブルは、セグメント識別名８２、削除されたセグメント開始アドレス８４、及び、削除されたセグメント終了アドレス８６を有する。削除されたセグメントが既に上書きされていない場合には、ＵＮＤＥＬＥＴＥ動作は、このテーブル８０を使用して実行される。最初に、ＤＥＬＥＴＥテーブル８０は、ユーザコマンドに応答して、表示される。そして、１つの削除されたセグメントが、ユーザにより選択され、そして、必要であるならば、見られる。ＵＮＤＥＬＥＴＥボタン７３がセグメントを、消去しない又は削除を取り消すために活性化されることが可能である。ＵＮＤＥＬＥＴＥボタン７３の活性化に際し、ジャンプコマンド７６と７８はビットストリームから除去され、そして、アクセス制限フラグは、セットが取り消される。
【００４９】
削除されたセグメントが上書きされた場合には、特定のセグメントがもはや削除が取り消されないとして、この削除されたセグメントのエントリーは、ＤＥＬＥＴＥテーブル８０から消去される。セグメントの一部のみが上書きされた場合には、残りの部分のサイズが十分に大きくそれが些細ではない場合には、セグメントの残りの部分は、ＤＥＬＥＴＥテーブル８０内に存在することができる。
【００５０】
例えば１０以下の、少数のＶＯＢＵの削除は、ここで示されたように、新たなセルを生成し且つジャンプコマンドを修正することを必要とはしない。代わりに、再生中にこれらのパックを使用することを避けるために、ＤＶＤプレーヤはパックの内容を変更できる。例えば、これらのセルに対するＰＥＳパケット長は、ゼロに設定される。しかしながら、多すぎるＶＯＢＵがスキップされる場合には、単にこれらのパケット避け又はスキップすることは非シームレス再生を起こす。
【００５１】
説明した実施形態について、以下の付記を記す。
（付記１）  ビットの記録された系列を再書き込み可能なディスク媒体上で編集する方法であって、
削除されるべき前記ビットの記録された系列のセグメントの開始点と終了点を選択的に識別し、
前記ディスクの制御データ部分内の第１のジャンプコマンドを修正し、前記第１のジャンプコマンドは、前向き方向に読み出しているときに、前記ディスクからの再生を前記終了点で継続させ、
前記ディスクの制御データ部分内の第２のジャンプコマンドを修正し、前記第２のジャンプコマンドは、逆方向に読み出しているときに、前記ディスクからの再生を前記開始点で継続させる、方法。
（付記２）  前記ビットの記録された系列は、セルにグループ化され、そして、更に、前記開始点と前記終了点が各々前記セル内に含まれるときに、１つのセルを２つのセルに分割するステップを有し、前記セルの第１のセルは前記開始点で終了アドレスを有し且つ前記セルの第２のセルは前記終了点で開始アドレスを有する、付記１に記載の方法。
（付記３）  更に、前記開始点が前記開始アドレスのときには、前記セルの現在の開始アドレスを、前記終了点のアドレスに変更する、付記２に記載の方法。
（付記４）  更に、前記終了点が前記セルの前記終了アドレスのときには、前記セルの現在の終了アドレスを、前記開始点のアドレスに変更する、付記２に記載の方法。
（付記５）  更に、前記セグメントが複数のセルにわたって伸びるときには、前記開始点を含むセルの終了アドレスを、前記開始点のアドレスに変更する、付記１に記載の方法。
（付記６）  更に、前記終了点を含むセルの開始アドレスを、前記終了点のアドレスに変更する、付記５に記載の方法。
（付記７）  前記ビットの記録された系列は、セルにグループ化され、そして、更に、前記ディスクの制御データ領域内に含まれる前記セルに関する状態情報を自動的に修正する、付記１に記載の方法。
（付記８）  更に、前記ビットの系列の再生中に、前記セルへのアクセスを防止するために、前記セグメント内に含まれる各セルのアクセス制限フラグを設定する、付記７に記載の方法。
（付記９）  更に、前記ディスク上の利用できる空間として削除された前記セグメントを確認するために、削除テーブルを維持する、付記１に記載の方法。
（付記１０）  ビットの記録された系列を再書き込み可能なディスク媒体上で編集する装置であって、
削除されるべき前記ビットの記録された系列のセグメントの開始点と終了点を選択的に識別する手段を有し、
前記ディスクの制御データ部分内の第１のジャンプコマンドを修正する手段を有し、前記第１のジャンプコマンドは、前向き方向に読み出しているときに、前記ディスクからの再生を前記終了点で継続させ、
前記ディスクの制御データ部分内の第２のジャンプコマンドを修正する手段を有し、前記第２のジャンプコマンドは、逆方向に読み出しているときに、前記ディスクからの再生を前記開始点で継続させる、装置。
（付記１１）  前記ビットの記録された系列は、セルにグループ化され、そして、更に、前記開始点と前記終了点が各々前記セル内に含まれるときに、１つのセルを２つのセルに分割する手段を有し、前記セルの第１のセルは前記開始点で終了アドレスを有し且つ前記セルの第２のセルは前記終了点で開始アドレスを有する、付記１０に記載の装置。
（付記１２）  更に、前記開始点が前記開始アドレスのときには、前記セルの現在の開始アドレスを、前記終了点のアドレスに変更する手段を有する、付記１１に記載の装置。
（付記１３）  更に、前記終了点が前記セルの前記終了アドレスのときには、前記セルの現在の終了アドレスを、前記開始点のアドレスに変更する手段を有する、付記１１に記載の装置。
（付記１４）  更に、前記セグメントが複数のセルにわたって伸びるときには、前記開始点を含むセルの終了アドレスを、前記開始点のアドレスに変更する手段を有する、付記１０に記載の装置。
（付記１５）  更に、前記終了点を含むセルの開始アドレスを、前記終了点のアドレスに変更する手段を有する、付記１４に記載の装置。
（付記１６）  前記ビットの記録された系列は、セルにグループ化され、そして、更に、前記ディスクの制御データ領域内の前記セルに関する状態情報を自動的に修正する手段を有する、付記１０に記載の装置。
（付記１７）  更に、前記ビットの系列の再生中に、前記セルへのアクセスを防止するために、前記セグメント内に含まれる各セルのアクセス制限フラグを設定する手段を有する、付記１６に記載の装置。
（付記１８）  更に、前記ディスク上の利用できる空間として削除された前記セグメントを確認するために、削除テーブルを維持する手段を有する、付記１０に記載の装置。
【符号の説明】
【００５２】
１００  装置
１０２  リライタブルディスク媒体
１０４  機械的組立体
１０６  モーター
１０８  ピックアップ組立体
１１０  サーボ
１２０  制御部
１２２  制御中央処理ユニット
１２６  ナビゲーションデータ発生回路
１２８  誤り訂正符号化回路
１３０  誤り訂正回路
１３２  制御バッファ
１３６  バッファ
１４０  ビデオ／オーディオ入力処理バス
１４２  ＮＴＳＣデコーダ
１４４  ビデオ符号化器
１４６  アナログ／ディジタル変換器
１４８  オーディオ符号化器
１５２  記録バッファ
１５４  マルチプレクサ
１７０  ビデオ／オーディオ出力処理バス
１７４  条件アクセス回路
１７６  デマルチプレクサ
１８２  回路
【図１】
2011138602.tif 000004
【図２】
2011138602.tif 000005
【図３】
2011138602.tif 000006
【図４ａ】
2011138602.tif 000007
【図４ｂ】
2011138602.tif 000008
【図４ｃ】
2011138602.tif 000009
【図４ｄ】
2011138602.tif 000010
【図５】
2011138602.tif 000011
【図６】
2011138602.tif 000012
【図７】
2011138602.tif 000013